(57)【要約】【課題】蓋倒立時にクリック感を得られるとともに蓋を倒立した状態で固定でき、使用性に優れ、さらに繰り返し回動させても接触部が削れず耐久性に優れたヒンジ部構成を備えた電気掃除機を提供すること。【解決手段】電気掃除機の上部本体に軸受部と、軸受部近傍に設けられた凸部とを有し、蓋にヒンジ部と、軸部と、凹部とを有し、蓋の軸部と、上部本体の軸受部が結合することにより、蓋は上部本体に対して回動自在に取り付けられており、凸部と凹部は蓋の回動時に互いに重なる位置に配されている構成としたものである。これにより、蓋回動時に凸部が凹部に到達するとヒンジ部のたわみは解消されることとなり、クリック感を得られるとともに蓋を倒立した状態で固定でき、さらに凸リブと凸リブとの接触がないため、繰り返し回動させても接触部が削れないヒンジ部構成とすることができる。【選択図】図７
2019088598.tif 000002
【特許請求の範囲】
【請求項１】
前部に上方開放状の集塵室を有し、
後部に電動送風機を内蔵するモーター室を設けた下部本体と、
この下部本体の上部に設けられ集塵室を覆う蓋と、
前記モーター室を覆う上部本体と、
前記上部本体に設けられた軸受部と、
前記蓋の後方の左右に設けられたヒンジ部と、
このヒンジ部に設けられ前記上部本体の前記軸受部に回動自在に軸支される軸部とを備え、
前記上部本体は、前記軸受部近傍に設けられた凸部をさらに有し、
前記蓋は、凹部をさらに有し、
前記凹部は、前記蓋の回動に伴って移動して前記蓋が開いた起立状態時に、前記上部本体に設けた凸部に嵌め合うように構成した電気掃除機。
【請求項２】
前記凹部は、前記軸部に対して同心円状に設けられた円弧状溝部の中に配されていることを特徴とした請求項１に記載の電気掃除機。
【請求項３】
前記凹部は前記円弧状溝部の端部に配されていることを特徴とした請求項２に記載の電気掃除機。
【請求項４】
前記円弧状溝部には、円弧状溝部の下方部から、円弧状溝部の凹部に向けて上方向に傾斜する傾斜部がついていることを特徴とした請求項２または３に記載の電気掃除機。
【請求項５】
前記上部本体または前記蓋の少なくとも一方は材料にポリプロピレンを使用している請求項１〜４のいずれか１項に記載の電気掃除機。
【発明の詳細な説明】
【技術分野】
【０００１】
本発明は、上方開放状の集塵室と前記集塵室を覆う蓋を有する電気掃除機に関するものである。
【背景技術】
【０００２】
従来、この種の電気掃除機は直立保持リブと、これに対抗したクリックリブを備え、蓋を開状態に保つように構成されている（例えば、特許文献１参照）。
【先行技術文献】
【特許文献】
【０００３】
【特許文献１】実開昭６３−６４３３９号公報
【発明の概要】
【発明が解決しようとする課題】
【０００４】
しかしながら、前記従来の構成では、蓋を回動させる時に凸リブと凸リブが接触しながら回動し、一方の凸リブが他方の凸リブを乗り越える構成であるため、繰り返し回動すると凸リブが削れてクリック感がなくなるとともに、蓋を開状態に保持する力が弱まり、使用性・耐久性の観点からは未だ改善の余地があった。
【０００５】
本発明は、前記従来の課題を解決するもので、蓋を倒立させる際にクリック感を得られるとともに、蓋を倒立した状態で固定でき、使用性に優れ、さらに繰り返し回動させても接触部が削れず耐久性に優れたヒンジ部構成を備えた電気掃除機を提供することを目的とする。
【課題を解決するための手段】
【０００６】
前記従来の課題を解決するために、本発明は、電気掃除機の上部本体に軸受部と、軸受部近傍に設けられた凸部とを有し、蓋にヒンジ部と、軸部と、凹部とを有し、蓋の軸部と、上部本体の軸受部が結合することにより、蓋は上部本体に対して回動自在に取り付けられており、凸部と凹部は蓋の回動時に互いに重なる位置に配されている構成としたものである。
【０００７】
これにより、蓋回動時に凸部が凹部に到達するとヒンジ部のたわみは解消されることとなり、クリック感を得られるとともに蓋を倒立した状態で固定でき、さらに凸と凸との接触がないため、繰り返し回動させても接触部が削れないヒンジ部構成とすることができる。
【発明の効果】
【０００８】
本発明の電気掃除機は、蓋倒立時にクリック感を得られるとともに蓋を倒立した状態で固定でき、使用性に優れており、さらに繰り返し回動させても接触部が削れず耐久性に優れたヒンジ部構成とすることができる。
【図面の簡単な説明】
【０００９】
【図１】本発明の実施の形態１における電気掃除機の全体斜視図
【図２】掃除機本体の縦断面図
【図３】同電気掃除機の蓋に備わったヒンジ部の部分断面斜視図
【図４】同電気掃除機の蓋に備わったヒンジ部の部分断面図
【図５】同電気掃除機の蓋に備わったヒンジ部を示す図４のＡ−Ａ断面図
【図６】同電気掃除機の上部本体に備わった軸受部の部分斜視図
【図７】同電気掃除機の蓋と上部本体が組まれた状態の部分断面図
【発明を実施するための形態】
【００１０】
第１の発明は、前部に上方開放状の集塵室を有し、後部に電動送風機を内蔵するモーター室を設けた下部本体と、この下部本体の上部に設けられ集塵室を覆う蓋と、前記モーター室を覆う上部本体と、前記上部本体に設けられた軸受部と、前記蓋の後方の左右に設けられたヒンジ部と、このヒンジ部に設けられ前記上部本体の前記軸受部に回動自在に軸支される軸部とを備え、前記上部本体は、前記軸受部近傍に設けられた凸部をさらに有し、前記蓋は、凹部をさらに有し、前記凹部は、前記蓋の回動に伴って移動して前記蓋が開いた起立状態時に、前記上部本体に設けた凸部に嵌め合うように構成したものである。
これにより、蓋回動時に凸部が凹部に到達するとヒンジ部のたわみは解消されることとなり、クリック感を得られるとともに蓋を倒立した状態で固定でき、使用性に優れており、さらに凸リブと凸リブとの接触がないため、繰り返し回動させても接触部が削れず耐久性に優れたヒンジ部構成とすることができる。
【００１１】
第２の発明は、特に、第１の発明において、凹部を軸部に対して同心円状に設けられた円弧状溝部の中に配置した構成としたものである。
これにより、蓋回動時に凸部が円弧状溝部に誘われて、より確実に凹部と重なるようにすることができる。
【００１２】
第３の発明は、特に、第２の発明において、凹部は円弧状溝部の端部に配置した構成としたものである。
これにより、蓋回動時に凸部が凹部を通り過ぎることなく、より確実に凹部と重なるようにすることができる。
【００１３】
第４の発明は、特に、第２または第３の発明において、円弧状溝部に円弧状溝部の下方部から、円弧状溝部の凹部に向けて上方向に傾斜する傾斜部がついている構成としたものである。
これにより、蓋回動時にヒンジ部が徐々にたわむことで滑らかな動きとなり、凹部の深さを確保できるため、蓋をより確実に倒立状態で固定でき、クリック感をもたせることができる。
【００１４】
第５の発明は、特に、第１〜第４の発明において、上部本体または蓋の少なくとも一方は材料にポリプロピレンを使用しているものである。
これにより、より安価で軽量な電気掃除機を提供できる。
【００１５】
以下、本発明の実施の形態について、図面を参照しながら説明する。なお、この実施の形態によって本発明が限定されるものではない。
【００１６】
（実施の形態１）
図１は本発明の第１の実施の形態における電気掃除機の全体斜視図、図２は掃除機本体の縦断面図、図３は同電気掃除機の蓋に備わったヒンジ部の部分断面斜視図、図４は同電気掃除機の上部本体に備わった軸受部の部分斜視図、図５は同電気掃除機の蓋と上部本体が組まれた状態の部分断面図を示すものである。
【００１７】
図１及び図２に示すように、本実施の形態における電気掃除機１００は、前部に上方開放状の集塵室５を有し、後部に電動送風機６を内蔵するモーター室７を設けた下部本体８と、この下部本体８の上部に設けられ集塵室５を覆う蓋９と、前記モーター室７を覆う上部本体１０とで構成された掃除機本体１と、被清掃面の塵埃を吸引する吸込具２と、一端
が吸込具２に接続される電気掃除機用延長管３と、一端が電気掃除機用延長管３に接続され、他端が掃除機本体１に接続されるホース４と、から構成されている。
【００１８】
図２に示すように集塵室５を覆う蓋９は、上部本体１０に回動自在に保持されている。図３に示すように、蓋９はヒンジ部１１と、軸部１２と、軸部１２に対して同心円状に設けられ、かつ傾斜部１３がついている円弧状溝部１４と、円弧状溝部１４の上端部に設けられた凹部１５とを有する。尚、凹部１５を円弧状溝部１４の上端部に設けることによって、蓋９の回動時に後述する凸部１８が凹部１５を通り過ぎることなく、より確実に凹部１５と重なるようにすることができる。
【００１９】
円弧状溝部１４に設けられた傾斜部１３は、図５に示すように、円弧状溝部１４の下方部１６から、円弧状溝部１４の上端部に設けられた凹部１５に向けて上方向に傾斜している。
尚、上記ヒンジ部１１と、軸部１２と、円弧状溝部１４と、凹部１５は、蓋９に対し、掃除機本体１の上方から見て左右対称に設けられている。
【００２０】
図６に示すように、上部本体１０は、軸受部１７と、軸受部１７近傍に設けられた凸部１８とを有する。
尚、上記軸受部１７と、凸部１８は、上部本体１０に対し、掃除機本体１の上方から見て左右対称に設けられている。
【００２１】
図７に示すように、左右に設けられた蓋９の軸部１２と、上部本体１０の軸受部１７が結合することにより、蓋９は上部本体１０に対して回動自在に取り付けられる。この時、凸部１８は、円弧状溝部１４の中に位置し、蓋回動時に凸部が円弧状溝部に誘われて、より確実に凹部と重なるようにしており、凹部１５に嵌合した状態である。
【００２２】
つまり、この図７に示す状態は、蓋９に設けた凸部１８が、上部本体１０に設けた凹部１５に嵌め合い、ヒンジ部１１のたわみは解消され、蓋９が開放し倒立固定された状態を表している。尚、図７は、左右の一方を示した部分断面図である。
【００２３】
以上のように構成された電気掃除機について、以下、その動作、作用を説明する。
【００２４】
使用者が吸込具２と電気掃除機用延長管３とホース４を接続し、電気掃除機１００を使用して掃除を開始すると、電動送風機６で吸引風が発生する。被清掃面上の塵埃が吸込具２から空気とともに吸引される。吸込具２から吸引された塵埃を含む空気は、電気掃除機用延長管３及びホース４を介して掃除機本体１の内部へと流入し、その後、集塵室５で塵埃のみが捕集される。
【００２５】
使用者が集塵室５に捕集された塵埃を機外に排出する時、蓋９を軸部１２を中心に回動させる。この時、凸部１８は円弧状溝部１４の中を移動し、円弧状溝部１４に設けられた傾斜部１３と凸部１８が接触することによりヒンジ部１１全体が外側に押し広げられるようにしてたわむ。
【００２６】
その後、凸部１８が円弧状溝部１４の端部に設けられた凹部１５に到達すると、凸部１８が凹部１５に嵌め合い、ヒンジ部１１のたわみは解消され、蓋９が倒立した状態で固定される。
【００２７】
以上のように、本実施の形態においては蓋９に、軸部１２に対して同心円状でかつ傾斜部１３がついている円弧状溝部１４と、円弧状溝部１４の端部に凹部１５を設け、また上部本体１０に、軸受部１７近傍に配した凸部１８を設けた構成とすることにより、蓋９の
回動時にヒンジ部１１全体が外側に押し広げられてたわみ、その後、凸部１８が円弧状溝部１４の端部に設けられた凹部１５に到達すると、凸部１８が凹部１５に嵌め合い、ヒンジ部１１のたわみは解消されることとなり、クリック感を得られるとともに蓋９を倒立した状態で固定でき、使用性に優れている。さらに特許文献１で示したような凸リブと凸リブとの接触がなく、たわみを利用することで繰り返し回動させても接触部が削れず耐久性に優れたヒンジ部構成とすることができる。
【００２８】
尚、上記実施の形態で説明した上部本体１０または蓋９の少なくとも一方は材料にポリプロピレンを使用しているものである。これにより、より安価で軽量な電気掃除機を提供できるものである。
【産業上の利用可能性】
【００２９】
以上のように、本発明にかかる電気掃除機は、蓋の倒立時にクリック感を得られるとともに蓋を倒立した状態で固定でき、使用性に優れており、さらに繰り返し回動させても接触部が削れず耐久性に優れたヒンジ部構成とすることができるので、家庭用や業務用の電気掃除機等の用途にも適用できる。
【符号の説明】
【００３０】
１  掃除機本体
２  吸込具
３  電気掃除機用延長管
４  ホース
５  集塵室
６  電動送風機
７  モーター室
８  下部本体
９  蓋
１０  上部本体
１１  ヒンジ部
１２  軸部
１３  傾斜部
１４  円弧状溝部
１５  凹部
１６  下方部
１７  軸受部
１８  凸部
１００  電気掃除機
【図１】
2019088598.tif 000003
【図２】
2019088598.tif 000004
【図３】
2019088598.tif 000005
【図４】
2019088598.tif 000006
【図５】
2019088598.tif 000007
【図６】
2019088598.tif 000008
【図７】
2019088598.tif 000009